(57)【要約】【課題】絶縁抵抗の測定時に停電中の電力ケーブルを自動的に接地することにより安全性を確保する。【解決手段】開閉器９の状態、電力ケーブル８の電圧、遮断器ＣＢ２２の状態に基づいて、電力ケーブル８の絶縁抵抗を測定可能な状態にあるか否かを判断部２１ｂで判断し、判断部２１ｂによる判断の結果、電力ケーブル８の絶縁抵抗を測定可能な状態にある場合に、開閉器２３、２４の開閉状態を制御部２１ｃで制御し、制御部２１ｃは、停電時に電力ケーブル８に充電された電荷を開閉器２３、２４を介して接地点に接地するように制御し、電力ケーブル８に開閉器２３、２４を介して当該絶縁抵抗測定装置２１を接続するように制御し、当該絶縁抵抗測定装置２１から絶縁抵抗の測定値を読み取るように制御する。【選択図】図２
2015055592.tif 000002
【特許請求の範囲】
【請求項１】
電気所の母線−需要家間を接続する電力ケーブルとの接続を断接する遮断器を有したスイッチギヤと、前記電力ケーブルの停電時に前記電力ケーブルの絶縁抵抗を測定する絶縁抵抗測定装置と、を備えた絶縁抵抗測定システムであって、
前記絶縁抵抗測定装置は、
前記電力ケーブルの途中に設けられた開閉器の状態を検出する開閉器状態検出手段と、
前記電力ケーブルの電圧を検出する電圧検出手段と、
前記遮断器の状態を検出する遮断器状態検出手段と、
前記スイッチギヤ内に設けられ、前記電力ケーブルと前記遮断器との接点を開閉し、前記電力ケーブルと前記遮断器との接点が開状態にある場合に、当該絶縁抵抗測定装置に前記電力ケーブルを接続する、又は接地点に前記電力ケーブルを接続する開閉手段と、
前記開閉器の状態、前記電力ケーブルの電圧、前記遮断器の状態に基づいて、前記電力ケーブルの絶縁抵抗を測定可能な状態にあるか否かを判断する判断手段と、
前記判断手段による判断の結果、前記電力ケーブルの絶縁抵抗を測定可能な状態にある場合に、前記開閉手段の開閉状態を制御する制御手段と、を備え、
前記制御手段は、前記停電時に前記電力ケーブルに充電された電荷を前記開閉手段を介して前記接地点に接地するように制御し、前記電力ケーブルに前記開閉手段を介して当該絶縁抵抗測定装置を接続するように制御し、当該絶縁抵抗測定装置から絶縁抵抗の測定値を読み取るように制御することを特徴とする自動絶縁抵抗測定システム。
【請求項２】
前記開閉手段は、
前記電力ケーブルと接続される第１可動接点と、前記遮断器に接続される第１固定接点と、第２固定接点を有する第１開閉器と、
前記第１開閉器の第２固定接点に接続される第２可動接点と、当該絶縁抵抗測定装置に接続される第３固定接点と、接地点に接続される第４固定接点とを有する第２開閉器と、を備えることを特徴とする請求項１記載の自動絶縁抵抗測定システム。
【請求項３】
前記判断手段は、
前記開閉器が切状態、且つ前記電力ケーブルの電圧が零電位状態、且つ前記遮断器が切状態である場合に、前記電力ケーブルの絶縁抵抗を測定可能な状態であると判断することを特徴とする請求項１記載の自動絶縁抵抗測定システム。
【請求項４】
専用ネットワークを介して当該絶縁抵抗測定装置に接続される集中監視制御装置を備え、
前記制御手段は、前記集中監視制御装置から測定開始を示す信号を受信した場合に前記制御を開始することを特徴とする請求項１記載の自動絶縁抵抗測定システム。
【請求項５】
前記制御手段は、前記絶縁抵抗測定装置から読み取った絶縁抵抗の測定値を前記集中監視制御装置に送信することを特徴とする請求項１記載の自動絶縁抵抗測定システム。
【請求項６】
前記判断手段による判断の結果、前記電力ケーブルの絶縁抵抗を測定不可能な状態にある場合に、前記制御手段は、前記集中監視制御装置に条件不成立であることを示す情報を送信することを特徴とする請求項１記載の自動絶縁抵抗測定システム。
【発明の詳細な説明】
【技術分野】
【０００１】
本発明は、変電所や発電所である電気所構内から引き出されている配電線用の電力ケーブルに事故があった場合に、電力ケーブルの絶縁抵抗を測定するのに好適な電力ケーブルの自動絶縁抵抗測定システムに関する。
【背景技術】
【０００２】
従来、図１３に示すように、電気所１００の構内には例えば６ｋＶの母線１０１と遮断器１０３を介して接続される電力ケーブル１０２が布設されている。ここで、電気所１００の構内から引き出されている配電線用の電力ケーブル１０２の事故時に、事故（事故箇所Ｐｇ）が継続している際に、配電線用の遮断器１０３と第１開閉器１０４とが「切」状態となり、停電状態が継続したままとなる。この場合、昼夜を問わず、調査員が供給支障の解消のために電気所１００へ赴き、事故箇所の調査を行う必要があった。
【０００３】
特許文献１には、通電中の他の送電線からの電磁誘導及び静電誘導により停止中の三相送電線に発生する誘導電圧により流れる過渡的な電流を抑える抵抗及びコンデンサで、停止中の三相送電線を接地し、外付け可能なメガ測定器による絶縁抵抗測定とその絶縁抵抗測定による検相、絶縁抵抗測定とアンサーバックによる自動検相のそれぞれをスイッチによる切り換えでもって実行可能とした検相器が開示されている。
特許文献２には、隣接機器とともにガス絶縁金属閉鎖形スイッチギヤに収納され絶縁抵抗が測定される接地開閉器の接地側と隣接機器の間に収納された接地導体を接続するガス絶縁金属閉鎖形スイッチギヤの接続導体において、片側が接地開閉器の接地側に接続される略Ｌ字形に湾曲した断路器側導体とこの断路器側導体に片側が接続され他側が接地導体に接続される略Ｌ字形に湾曲した接地側導体で接続導体を構成した技術が開示されている。
【先行技術文献】
【特許文献】
【０００４】
【特許文献１】特開平１１−３２６４２０号公報
【特許文献２】特開２０００−７８７１５公報
【発明の概要】
【発明が解決しようとする課題】
【０００５】
ところで、調査の内容は、第一に目視確認を行い、次に遮断器を引き出して停電回路の絶縁抵抗を測定し、事故箇所と被害程度を判断している。これらの調査では、少なくとも二人の調査員を必要とし、深夜の調査では調査員への災害が発生し易いという問題が生じている。
特に、機器の絶縁抵抗を自動測定した後、残留電荷の放電を自動的に実施していないため、測定対象機器の周囲にいる調査員が感電する虞れがあった。
【０００６】
そこで、絶縁抵抗の測定時に停電中の電力ケーブルを自動的に接地したいという要望があった。
特許文献１では、通電中の他の送電線からの電磁誘導及び静電誘導により停止中の三相送電線に発生する誘導電圧により流れる過渡的な電流を抑える抵抗及びコンデンサで、停止中の三相送電線を接地している。しかしながら、特許文献１にあっては、絶縁抵抗の測定時に停電中の送電線を自動的に接地していなかった。
特許文献２では、絶縁抵抗が測定される接地開閉器の接地側と前記隣接機器の間に収納された接地導体を接続するガス絶縁金属閉鎖形スイッチギヤの接続導体がある。しかしながら、特許文献２にあっては、絶縁抵抗の測定時に停電中の送電線を自動的に接地していなかった。
そこで、絶縁抵抗の測定時に停電中の電力ケーブルを自動的に接地することにより安全性を確保することが切望されている。
本発明は、上記に鑑みてなされたもので、その目的としては、絶縁抵抗の測定時に停電中の電力ケーブルを自動的に接地することにより安全性を確保することが可能な自動絶縁抵抗測定システムを提供することにある。
【課題を解決するための手段】
【０００７】
上記課題を解決するたに、請求項１記載の発明は、電気所の母線−需要家間を接続する電力ケーブルとの接続を断接する遮断器を有したスイッチギヤと、前記電力ケーブルの停電時に前記電力ケーブルの絶縁抵抗を測定する絶縁抵抗測定装置と、を備えた絶縁抵抗測定システムであって、前記絶縁抵抗測定装置は、前記電力ケーブルの途中に設けられた開閉器の状態を検出する開閉器状態検出手段と、前記電力ケーブルの電圧を検出する電圧検出手段と、前記遮断器の状態を検出する遮断器状態検出手段と、前記スイッチギヤ内に設けられ、前記電力ケーブルと前記遮断器との接点を開閉し、前記電力ケーブルと前記遮断器との接点が開状態にある場合に、当該絶縁抵抗測定装置に前記電力ケーブルを接続する、又は接地点に前記電力ケーブルを接続する開閉手段と、前記開閉器の状態、前記電力ケーブルの電圧、前記遮断器の状態に基づいて、前記電力ケーブルの絶縁抵抗を測定可能な状態にあるか否かを判断する判断手段と、前記判断手段による判断の結果、前記電力ケーブルの絶縁抵抗を測定可能な状態にある場合に、前記開閉手段の開閉状態を制御する制御手段と、を備え、前記制御手段は、前記停電時に前記電力ケーブルに充電された電荷を前記開閉手段を介して前記接地点に接地するように制御し、前記電力ケーブルに前記開閉手段を介して当該絶縁抵抗測定装置を接続するように制御し、当該絶縁抵抗測定装置から絶縁抵抗の測定値を読み取るように制御することを特徴とする。
【発明の効果】
【０００８】
本発明によれば、停電時に電力ケーブルに充電された電荷を接地点に接地した後に、電力ケーブルに絶縁抵抗測定装置を接続し、絶縁抵抗測定装置から絶縁抵抗の測定値を読み取ることができるので、絶縁抵抗の測定時に停電中の電力ケーブルを自動的に接地することにより、電力ケーブルの電荷を逃がすことで感電事故を防止することができ、安全性を確保することができる。
この結果、遠方からの指示による自動測定となるため、調査員の現地派遣が不要となり、人身災害の防止と業務の効率化を図ることができる。
【図面の簡単な説明】
【０００９】
【図１】電気所１に備えられたスイッチギヤについて説明するための単線結線図である。
【図２】本発明の実施形態に係る自動絶縁抵抗測定システム１０の構成について説明するためのブロック図である。
【図３】（ａ）（ｂ）はスイッチギヤ３の内部構成について説明するための図である。
【図４】（ａ）〜（ｄ）は絶縁抵抗測定装置２１と集中監視制御装置１１との間で通信される情報について説明するための図である。
【図５】（ａ）（ｂ）は電気所に設けられた遠方監視制御装置ＴＣにより通信される情報について説明するための図である。
【図６】絶縁抵抗の測定開始から測定結果の受信までの通信手順について説明するためのシーケンス図である。
【図７】本発明の第１実施形態に係る絶縁抵抗測定装置２１の動作について説明するためのフローチャート（その１）である。
【図８】本発明の第１実施形態に係る絶縁抵抗測定装置２１の動作について説明するためのフローチャート（その２）である。
【図９】（ａ）（ｂ）は開閉器［１］２３の動作概要を示すフローチャートである。
【図１０】（ａ）〜（ｃ）は開閉器［２］２４の動作概要を示すフローチャートである。
【図１１】電圧検出装置２５の動作概要を示すフローチャートである。
【図１２】集中監視制御装置１１のモニタに表示される絶縁抵抗測定値を示す図である。
【図１３】従来技術として、電気所の構内に母線と遮断器を介して接続される電力ケーブルが布設されている例を示す図である。
【発明を実施するための形態】
【００１０】
本発明の実施形態について、図面を参照して説明する。
まず、図１に示す単線結線図を参照して、電気所１に備えられたスイッチギヤ（配電線箱）について説明する。
通常上述した、電気所１には、例えば６ｋＶの母線２が布設されている。図１において、母線２を内包するようにしてスイッチギヤ３が３個配置され、同様に、スイッチギヤ４、５、６が夫々に配置されている。スイッチギヤ３には例えば電力ケーブル８ａ、８ｂ、８ｃ〜８ｆが接続されている。
スイッチギヤ３内には、変流器ＣＴ、遮断器ＣＢ、零相変流器ＺＣＴが備えられている。スイッチギヤ４（配変２次箱）内には、遮断器ＣＢ、避雷器ＬＡが設けられ、変圧器７ｇ（図示しない）に接続されている。
スイッチギヤ５（所内・ＧＰＴ箱）には、計器用変圧器ＧＰＴ、限流ヒューズＦＤＳ（ＬＢＳ）、高圧トランスＨＴｒに接続されている。スイッチギヤ６（母連・配電線箱（母連・ＳＣ箱））には、遮断器ＣＢ、変流器ＣＴ、零相変流器ＺＣＴが備えられ、ダクト接続により他バンク７ｉと接続され、他方が電力ケーブル７ｊに接続されている。
【００１１】
次に、図２に示すブロック図を参照して、本発明の実施形態に係る自動絶縁抵抗測定システム１０の構成について説明する。
図２に示すように、自動絶縁抵抗測定システム１０には、集中監視制御装置１１、複数の制御中継所１２が配置されており、集中監視制御装置１１と制御中継所１２に設けられた情報収集装置ＤＸ１８とが専用ネットワークＮを介して接続されている。
集中監視制御装置１１には、系統監視盤１５、計算機１６、監視制御卓１７が備えられている。
制御中継所１２には、情報収集装置ＤＸ１８、情報変換装置ＴＣ−ＩＦ１９が備えられており、情報収集装置ＤＸ１８経由の通信が通常ルートであり、情報変換装置ＴＣ−ＩＦ１９から情報収集装置ＤＸ１８を経由した通信が予備ルートである。集中監視制御装置１１と絶縁抵抗測定装置２１との間の通信は、通常ルート又は予備ルートを利用して行えばよい。
電気所１には、遠方監視制御装置ＴＣ２０、スイッチギヤ３、絶縁抵抗測定装置２１が備えられ、スイッチギヤ３には電力ケーブル８が接続され、さらに、電力ケーブル８の途中に開閉器９が設けられている。
なお、開閉器９には、当該開閉器の接点状態を検出するための検出器と、検出器で検出された接点状態を示す情報を絶縁抵抗測定装置２１に送信するための通信部が設けられている。そして、開閉器９の開閉状態を示す情報は電力ケーブル８に併設されている通信ケーブル（図示しない）を介して絶縁抵抗測定装置２１に入力されている。
さらに、スイッチギヤ３には、遮断器ＣＢ２２、開閉器［１］２３、開閉器［２］２４、接地点Ｇ、電圧検出装置２５が備えられている。
【００１２】
図２において、絶縁抵抗測定装置２１には、絶縁抵抗測定器２１ａ、判断部２１ｂ、制御部２１ｃが備えられている。
詳しくは、絶縁抵抗測定器２１ａは、電力ケーブル８の停電時に制御部２１ｃからの指示に応じて電力ケーブル８の絶縁抵抗を測定する。
判断部２１ｂは、開閉器９の状態、電力ケーブル８の電圧、遮断器ＣＢ２２の状態に基づいて、電力ケーブルの絶縁抵抗を測定可能な状態にあるか否かを判断する。すなわち、判断部２１ｂは、開閉器９が切状態、且つ電力ケーブル８の電圧が零電位状態、且つ遮断器ＣＢ２２が切状態である場合に、電力ケーブル８の絶縁抵抗を測定可能な状態であると判断する。
【００１３】
制御部２１ｃは、判断部２１ｂによる判断の結果、電力ケーブル８の絶縁抵抗を測定可能な状態にある場合に、開閉器［１］２３（第１開閉器）、開閉器［２］２４（第２開閉器）の開閉状態を制御する。
制御部２１ｃは、停電時に電力ケーブル８に充電された電荷を開閉器［１］２３、開閉器［２］２４を介して接地点に接地するように制御する。次いで、制御部２１ｃは、電力ケーブル８に開閉器［１］２３、開閉器［２］２４を介して絶縁抵抗測定装置２１を接続するように制御し、当該絶縁抵抗測定装置２１から絶縁抵抗の測定値を読み取るように制御する。
制御部２１ｃは、判断部２１ｂによる判断の結果、電力ケーブル８の絶縁抵抗を測定不可能な状態にある場合に、専用ネットワークＮを介して集中監視制御装置１１に条件不成立であることを示す情報を送信する。
制御部３２は、内部にＲＯＭ、ＲＡＭ及びＣＰＵを有し、ＲＯＭからオペレーティングシステムＯＳを読み出してＲＡＭ上に展開してＯＳを起動し、ＯＳ管理下において、ＲＯＭからプログラム（後述するフローチャートにより表現されるプログラム）を読み出し、処理を実行する。
【００１４】
次に、図３（ａ）（ｂ）に示す接続図を参照して、スイッチギヤ３の内部構成について説明する。なお、図３（ａ）は側面図であり、図３（ｂ）は上面図である。なお、図３に示す母線や電力ケーブルは、被覆を有する絶縁電線から構成されている。
図３（ａ）において、母線２ｒ、２ｓ、２ｔは３相の夫々に位相が異なる母線を示している。遮断器ＣＢ２２は遮断器ボックス２２ａに収容されている。以下、簡略化のため、母線２ｔ（Ｔ相）に関する配線及び接続構成に特化して説明するが、実際は３相分の配線及び接続構成を有している。
図３（ｂ）に示すように、母線２ｔは、保護碍子２２ｂｔにより絶縁状態で遮断器ボックス２２ａに導入される。遮断器ＣＢ２２ｔは内部接点を有し、内部接点を介して絶縁状態で遮断器ボックス２２ａから保護碍子２２ｃｒに保護されながらバー２２ｄｔが導出され開閉器［１］２３に接続されている。なお、遮断器ＣＢ２２は図３（ａ）に示すように下部に車輪が設けられており、指令信号に応じて遮断器ボックス２２ａから遮断器ＣＢ２２を引き出すことが可能になる。
なお、遮断器ＣＢ２２には、当該遮断器ＣＢ２２の接点状態を検出するための検出器と、検出器で検出された接点状態を示す情報を絶縁抵抗測定装置２１に送信するための通信部が設けられている。
【００１５】
バー２２ｄは、開閉器２３の接点２３ａに接続されている。開閉器［１］２３は、バー８ａを介して電力ケーブル８ｔと接続される第１可動接点２３ａと、バー２２ｄを介して遮断器ＣＢ２２に接続される第１固定接点２３ｃと、第２固定接点２３ｄを有する。開閉器［２］２４は、開閉器［１］２３の第２固定接点２３ｂに接続される第２可動接点２４ｅと、絶縁抵抗測定装置２１に接続される第３固定接点２４ｄと、接地点Ｇに接続される第４固定接点２４ｅとを有している。開閉器［１］２３の第１固定接点２３ｃは電圧検出装置２５に接続されている。
開閉器［２］２４の第２可動接点２４ｅは、他の接点に対して中立状態を維持可能である。なお、開閉器［１］２３及び開閉器［２］２４は、夫々内部にソレノイドコイルを有し、制御部２１ｃからの指令信号に応じて夫々に設けられているソレノイドコイルを通電し、接点の開閉駆動を行うように構成されている。
なお、開閉器［１］２３及び開閉器［２］２４には、夫々の開閉器の接点状態を検出するための検出器と、検出器で検出された接点状態を示す情報を絶縁抵抗測定装置２１に送信するための通信部が設けられている。
電圧検出装置２５は、電力ケーブル８に印加されている電圧を測定系の電圧に変換する変流器と、変流器に発生する電圧を検出するための検出器と、検出器で検出された電圧状態を示す情報を絶縁抵抗測定装置２１に送信するための通信部が設けられている。
【００１６】
このように、開閉器［１］２３は、電力ケーブル８ｔと接続される第１可動接点と、遮断器ＣＢ２２に接続される第１固定接点と、第２固定接点を有し、開閉器［２］２４は、第１開閉器の第２固定接点に接続される第２可動接点と、当該絶縁抵抗測定装置２１に接続される第３固定接点と、接地点に接続される第４固定接点とを有している。これにより、電力ケーブル８ｔを接地点に接続することと、絶縁抵抗測定装置２１に接続することを交互に行うことができ、電力ケーブル８ｔに蓄電された電荷を接地点に放電することができる。
なお、本発明の実施形態に係る絶縁抵抗測定システムは、図３（ｂ）に示すように、母線２ｒ、２ｓ、２ｔの夫々を対象として遮断器ＣＢ２２ｒ、２２ｓ、２２ｔを備えている。また、図３（ａ）において、電力ケーブル８ｔのｚ軸方向（背後）に電力ケーブル８ｓ、８ｒを備えている。さらに、開閉器［１］２３と開閉器［２］２４、電圧検出装置２５の組は３組備えており、同時に三相分の電力ケーブルの絶縁抵抗を測定可能なように構成されている。
【００１７】
次に、図４に示す表を参照して、図２に示す絶縁抵抗測定装置２１と集中監視制御装置１１との間で通信される情報について説明する。
図４（ａ）は、遠方監視制御装置ＴＣにおいて通信時に扱われる通信情報を示している。ここで、「１０ＰＯＳ」は自動測定開始信号を示し、「１１ＰＯＳ」は「条件不成立［１］」が発生したことを示し、「１２ＰＯＳ」は「条件不成立［２］」が発生したことを示している。
上記ＰＯＳ情報を用いて、信号の有無、又は状態変化の有無を示す情報を上位の制御中継所１２に設けられた情報収集装置ＤＸ１８へ送信する。
図４（ｂ）は「○○変電所」において通信時に扱われる通信情報を示しており、「１１ＰＯＳ」は「条件不成立［１］」が発生したことを示している。上記ＰＯＳ情報を用いて、集中監視制御装置１１の計算機１６に情報を送信する。
【００１８】
図４（ｃ）は「○○変電所」において通信時に扱われる通信情報を示しており、「１１ＰＯＳ」は「条件不成立［１］」が発生したことを示している。上記ＰＯＳ情報を用いて、集中監視制御装置１１の該当する電気所を監視対象としているモニタの画面へ「条件不成立」であることを示すメッセージを表示させる。
図４（ｄ）は「○○変電所」において通信時に扱われる通信情報を示しており、「１０ＰＯＳ」は「自動測定開始信号」を示している。集中監視制御装置１１の計算機１６へこの情報を送信し、計算機１６から制御中継所１２の情報収集装置ＤＸ１８へこの情報が送信される。
【００１９】
次に、図５に示す表を参照して、図２に示す電気所に設けられた遠方監視制御装置ＴＣにより通信される情報について説明する。
図５（ａ）は、集中監視制御装置１１から送信され、遠方監視制御装置ＴＣで受信される制御信号を示している。ここで、例えば「○○ＣＢの入信号」、「○○ＣＢの切信号」、「△△ＣＢの入信号」、「△△ＣＢの切信号」、「●●の使用信号」、「●●の不使用信号」、「▲▲の開始信号」、「▲▲の停止信号」が通信される。なお、制御の対象となる電気所に設けられた現地機器のＰＯＳ情報へ信号（１）又は信号（０）を付加してもよい。
図５（ｂ）は、現地機器から集中監視制御装置１１へ送信されるメッセージを示す表示信号を示している。ここで、例えば「○○ＣＢの状態表示信号」、「△△ＣＢの状態表示信号」、「●●の状態表示信号」、「▲▲の状態表示信号」、「□□線短絡事故発生」、「□□線地絡事故発生」、「◇◇Ｔｒ油流出発生」、「◇◇Ｔｒ短絡事項発生」が通信される。なお、該当する状態変化がある場合にＰＯＳ情報へ信号（１）を付加する。
【００２０】
次に、図６に示すシーケンス図を参照して、絶縁抵抗の測定開始から測定結果の受信までの通信手順について説明する。
まず、集中監視制御装置１１には、監視制御卓１７上に複数のモニタが配置されており、これらのモニタ上に複数の電気所から収集した監視内容が表示されている。さらに、卓上には電気所毎に電力ケーブルの絶縁抵抗を測定するための開始スイッチが配置されている。
ここで、電力ケーブル８に何らかの理由により事故が発生した場合、当該電力ケーブル８に接続されているスイッチギヤ３内の遮断器ＣＢ２２が遮断動作を行う。詳しくは、遮断器ＣＢ２２は、事故電流（特に短絡事故電流）を遮断することにより電力ケーブル８に接続されている需要家側の設備を保護し、上流側の母線２への事故波及を防止する。遮断器ＣＢ２２が遮断動作を行うためには、電極を開放する動作として引き外しが行われる。
【００２１】
同時に、電気所１に布設されている電力ケーブル８に事故があったことを示す「□□線短絡事故発生」という事故信号が遠方監視制御装置ＴＣ２０から制御中継所１２の情報収集装置ＤＸ１８に送信される。次いで、専用ネットワークＮを介して集中監視制御装置１１に通知され、電気所１を監視対象に設定されている監視制御卓１７上のモニタに事故情報が表示される。
このとき、卓上に配置されている開始スイッチが押されると、集中監視制御装置１１では、自動測定開始信号を制御中継所１２の情報収集装置ＤＸ１８に送信する。情報収集装置ＤＸ１８では受信した自動測定開始信号を電気所の遠方監視制御装置ＴＣ２０に送信する。遠方監視制御装置ＴＣ２０では、受信した自動測定開始信号を絶縁抵抗測定装置２１に送信する。
次いで、絶縁抵抗測定装置２１が自動測定開始信号を受信した場合、電力ケーブル８の絶縁抵抗の測定をスタートする。この結果、測定により取得された絶縁抵抗測定結果を電気所の遠方監視制御装置ＴＣ２０に送信する。電気所の遠方監視制御装置ＴＣ２０では、受信した絶縁抵抗測定結果を制御中継所１２の情報収集装置ＤＸ１８に送信する。情報収集装置ＤＸ１８では、受信した絶縁抵抗測定結果を集中監視制御装置１１に送信する。
この結果、集中監視制御装置１１のモニタ上に絶縁抵抗測定結果が表示される。
【００２２】
次に、図７、図９及び図１１に示すフローチャートを参照して、絶縁抵抗測定装置２１の動作について説明する。なお、絶縁抵抗測定装置２１と集中監視制御装置１１との間で行われる通信は、上述したように遠方監視制御装置ＴＣ２０、情報収集装置ＤＸ１８、専用ネットワークＮを介して常に行われるが、簡単化のためその説明を以下では省略することとする。
まず、ステップＳ１０５では、制御部２１ｃは、集中監視制御装置１１から受信した自動測定開始信号に応じて、絶縁抵抗測定をスタートする。
このとき、図１１に示すように、電圧検出装置２５が電力ケーブル８の電圧の有無状態を絶縁抵抗測定装置２１へ送信し、絶縁抵抗測定装置２１は電力ケーブル８の電圧の有無状態を受信する。また、遮断器ＣＢ２２が現在の状態を絶縁抵抗測定装置２１に送信し、絶縁抵抗測定装置２１は遮断器ＣＢ２２の現在の状態を受信する。また、開閉器［１］２３が現在の状態を絶縁抵抗測定装置２１に送信し、絶縁抵抗測定装置２１は開閉器［１］２３の現在の状態を受信する。
【００２３】
次いで、ステップＳ１１０では、遮断器ＣＢ２２が「切」状態、かつ開閉器［１］２３が「切」状態、かつ電圧検出装置２５が「電圧無し」状態であり、全ての状態がＡＮＤ条件に適合すると判断部２１ｂが判断した場合にステップＳ１１５に進む。一方、ＡＮＤ条件に適合しない場合にステップＳ１１０に戻り、処理を繰り返す。
次いで、ステップＳ１１５では、制御部２１ｃは、再度、集中監視制御装置１１から自動測定開始信号を受信したか否かを判断し、自動測定開始信号を受信している場合にはステップＳ１２０に進む。一方、自動測定開始信号を受信していない場合には、ステップＳ１１０に戻る。
【００２４】
このように、専用ネットワークＮを介して当該絶縁抵抗測定装置２１に接続される集中監視制御装置１１を備え、制御部２１ｃは、集中監視制御装置１１から測定開始を示す信号を受信した場合に制御を開始することで、遠隔制御により絶縁抵抗の自動測定を開始することができる。
このように、判断部２１ｂは、開閉器９が切状態、且つ電力ケーブル８の電圧が零電位状態、且つ遮断器ＣＢ２２が切状態である場合に、電力ケーブル８の絶縁抵抗を測定可能な状態であると判断することで、電力ケーブル８が絶縁抵抗を測定可能な安全な状態となっていることと判断することができる。
【００２５】
次いで、ステップＳ１２０では、制御部２１ｃは、開閉器［１］２３の接点を、接点２３ａ側から接点２３ｂ側へ切り替えることを示す切替信号を開閉器［１］２３に発信する。すなわち、図９（ａ）に示すように、絶縁抵抗測定装置２１が切替信号を開閉器［１］２３に出力する。この結果、開閉器［１］２３は接点２３ａ側から接点ｂ側へ切替える。
次いで、ステップＳ１２５では、遮断器ＣＢ２２が「切」状態、かつ開閉器［１］２３が「切」状態、かつ電圧検出装置２５が「電圧無し」状態、かつ開閉器［１］２３が「ｂ側接点」であるか否かを判断部２１ｂが判断する。ここで、全ての状態がＡＮＤ条件に適合すると判断部２１ｂが判断した場合にステップＳ１３５に進む。一方、ＡＮＤ条件に適合しない場合にステップＳ１３０に進む。
次いで、ＡＮＤ条件に適合しない場合にステップＳ１３０では、制御部２１ｃは、集中監視制御装置１１へ「条件不成立［１］」を送信し、ステップＳ１２５に戻り、上述した処理を繰り返す。
なお、「条件不成立［１］」は、開閉器［１］２３の接点がｂ側に戻っていないことを示している。すなわち、接点２３ａ側へ接点が融着している可能性があることを示している。
このように、判断部２１ｂによる判断の結果、電力ケーブル８の絶縁抵抗を測定不可能な状態にある場合に、制御部２１ｃは、集中監視制御装置１１に条件不成立であることを示す情報を送信することで、遠隔制御により絶縁抵抗の自動測定が不可能であることを確認することができる。
【００２６】
次いで、ステップＳ１３５では、制御部２１ｃは、開閉器［２］２４の接点を、中立状態から接点２４ｃ側へ切り替えることを示す切替信号を開閉器［２］２４に発信する。すなわち、図１０（ａ）に示すように、通常状態である中立状態から接点２４ｃ側へ切り替えるための切替信号を開閉器［２］２４に出力する。この結果、開閉器［２］２４は中立状態から接点２４ｃ側へ切替り、一旦、電力ケーブル８が接地状態（放電状態）に切り替わる。この結果、電力ケーブル８に蓄電されている電荷が接地され、例え人間がスイッチギヤ３の周辺いたとしても、感電等が発生することを回避することができる。
次いで、ステップＳ１４０では、制御部２１ｃは、開閉器［２］２４の接点を、接点ｃ側から中立状態へ切り替えることを示す切替信号を開閉器［２］２４に発信する。すなわち、図１０（ｃ）に示すように、接点２４ｃ側から通常状態である中立状態へ切り替えるための切替信号を開閉器［２］２４に出力する。この結果、開閉器［２］２４は接地状態から開放状態、すなわち、中立状態へ切り替わる。
【００２７】
次いで、ステップＳ１４５では、制御部２１ｃは、遮断器ＣＢ２２が「切」状態、かつ開閉器［１］２３が「切」状態、かつ電圧検出装置２５が「電圧無し」状態、かつ開閉器［１］２３が「ｂ側接点」であるか否かを判断部２１ｂが判断する。ここで、全ての状態がＡＮＤ条件に適合すると判断部２１ｂが判断した場合にステップＳ１５５に進む。一方、ＡＮＤ条件に適合しない場合にステップＳ１５０に進む。
次いで、ＡＮＤ条件に適合しない場合に、ステップＳ１５０では、制御部２１ｃは、集中監視制御装置１１へ「条件不成立［２］」を送信し、ステップＳ１４５に戻り、上述した処理を繰り返す。
なお、「条件不成立［２］」は、開閉器［２］２４の接点が中立状態に戻っていないことを示している。すなわち、接点２４ｃ側へ接点が融着している可能性があることを示している。
【００２８】
次いで、ステップＳ１５５では、制御部２１ｃは、開閉器［２］２４の接点を、中立状態から接点２４ｄ側へ切り替えることを示す切替信号を開閉器［２］２４に発信する。すなわち、図１０（ｂ）に示すように、通常状態である中立状態から接点２４ｄ側へ切り替えるための切替信号を開閉器［２］２４に出力する。この結果、開閉器［２］２４は中立状態から接点２４ｄ側へ切り替わり、接点２４ｄを介して電力ケーブル８が絶縁抵抗測定装置２１と接続される。
詳しくは、図３においては、電力ケーブル８、開閉器［１］２３、開閉器［２］２４、絶縁抵抗測定装置２１に設けられた絶縁抵抗測定器２１ａの１組が一相分の絶縁抵抗を測定するように示してあるが、本発明はこのような構成に限定されるものではない。すなわち、電力ケーブル８、開閉器［１］２３、開閉器［２］２４、絶縁抵抗測定装置２１に設けられた絶縁抵抗測定器２１ａの組を３組備えることにより三相（Ｒ、Ｓ、Ｔ）分の絶縁抵抗を測定するように構成してもよい。
【００２９】
次いで、ステップＳ１６０では、制御部２１ｃは、絶縁抵抗測定器２１ａに電力ケーブル８の絶縁抵抗を三相分について自動測定させ、絶縁抵抗測定器２１ａから測定結果である絶縁抵抗測定値を入力し、メモリに記憶する。
次いで、ステップＳ１６５では、制御部２１ｃは、絶縁抵抗測定値を集中監視制御装置１１へ送信する。ここで、図１２に示すように、三相が正常状態の場合、例えば第１相（Ｒ相）が２０００ＭΩ以上、第２相（Ｓ相）が２０００ＭΩ以上、第３相（Ｔ相）が２０００ＭΩ以上であるとモニタ上に表示される。一方、第１相が不良状態の場合、例えば第１相が０ＭΩ、第２相が２０００ＭΩ以上、第３相が２０００ＭΩ以上であるとモニタ上に表示される。
このように、制御部２１ｃは、絶縁抵抗測定装置２１から読み取った絶縁抵抗の測定値を集中監視制御装置１１に送信することで、遠隔制御により絶縁抵抗の自動測定を行った結果を確認することができる。
【００３０】
次に、図８及び図９に示すフローチャートを参照して、絶縁抵抗測定装置２１の動作について説明する。
次いで、ステップＳ１７０では、制御部２１ｃは、開閉器［２］２４の接点を、接点２４ｄ側から中立状態へ切り替えることを示す切替信号を開閉器［２］２４に発信する。
次いで、ステップＳ１７５では、制御部２１ｃは、遮断器ＣＢ２２が「切」状態、かつ開閉器［１］２３が「切」状態、かつ電圧検出装置２５が「電圧無し」状態、かつ開閉器［１］２３が「ｂ側接点」であるか否かを判断部２１ｂが判断する。ここで、全ての状態がＡＮＤ条件に適合すると判断部２１ｂが判断した場合にステップＳ１８５に進む。一方、ＡＮＤ条件に適合しない場合にステップＳ１８０に進む。
次いで、ＡＮＤ条件に適合しない場合にステップＳ１８０では、制御部２１ｃは、集中監視制御装置１１へ「条件不成立［３］」を送信し、ステップＳ１７５に戻り、上述した処理を繰り返す。
なお、「条件不成立［３］」は、開閉器［２］２４の接点が中立状態に戻っていないことを示している。すなわち、接点２４ｄ側へ接点が融着している可能性があることを示している。
【００３１】
次いで、ステップＳ１８５では、制御部２１ｃは、開閉器［２］２４の接点を、中立状態から接点２４ｃ側へ切り替えることを示す切替信号を開閉器［２］２４に発信する。
次いで、ステップＳ１９０では、制御部２１ｃは、開閉器［２］２４の接点を、接点ｃ側から中立状態へ切り替えることを示す切替信号を開閉器［２］２４に発信する。
次いで、ステップＳ１９５では、制御部２１ｃは、遮断器ＣＢ２２が「切」状態、かつ開閉器［１］２３が「切」状態、かつ電圧検出装置２５が「電圧無し」状態であるか否かを判断部２１ｂが判断する。ここで、全ての状態がＡＮＤ条件に適合すると判断部２１ｂが判断した場合にステップＳ２０５に進む。一方、ＡＮＤ条件に適合しない場合にステップＳ２００に進む。
次いで、ステップＳ２００では、制御部２１ｃは、集中監視制御装置１１へ「条件不成立［４］」を送信し、ステップＳ１９５に戻り、上述した処理を繰り返す。
なお、「条件不成立［４］」は、開閉器［２］２４の接点が中立状態に戻っていないことを示している。すなわち、接点２４ｃ側へ接点が融着している可能性があることを示している。
次いで、ステップＳ２０５では、制御部２１ｃは、開閉器［１］２３の接点を、接点２３ｂ側から接点２３ａ側へ切り替えることを示す切替信号を開閉器［１］２３に発信する。すなわち、図９（ｂ）に示すように、絶縁抵抗測定装置２１が切替信号を開閉器［１］２３に出力する。この結果、開閉器［１］２３は接点２３ｂ側から接点ａ側へ切替える。
【００３２】
以上のように、電気所１の母線２−需要家間を接続する電力ケーブル８との接続を断接する遮断器ＣＢ２２を有したスイッチギヤ３と、電力ケーブル８の停電時に電力ケーブル８の絶縁抵抗を測定する絶縁抵抗測定装置２１と、を備えた絶縁抵抗測定システムである。
絶縁抵抗測定装置２１は、電力ケーブル８の途中に設けられた開閉器９の状態を検出し、電力ケーブル８の電圧を検出し、遮断器ＣＢ２２の状態を検出し、スイッチギヤ３内に設けられ、電力ケーブル８と遮断器ＣＢ２２との接点を開閉し、電力ケーブル８と遮断器ＣＢ２２との接点が開状態にある場合に、当該絶縁抵抗測定装置２１に電力ケーブルを接続する、又は接地点に電力ケーブル８を接続する開閉器［１］２３と開閉器［２］２４と、開閉器９の状態、電力ケーブル８の電圧、遮断器ＣＢ２２の状態に基づいて、電力ケーブル８の絶縁抵抗を測定可能な状態にあるか否かを判断部２１ｂで判断し、判断部２１ｂによる判断の結果、電力ケーブル８の絶縁抵抗を測定可能な状態にある場合に、開閉器［１］２３と開閉器［２］２４の開閉状態を制御部２１ｃで制御し、制御部２１ｃは、停電時に電力ケーブル８に充電された電荷を開閉器［１］２３と開閉器［２］２４を介して接地点に接地するように制御し、電力ケーブル８に開閉器［１］２３と開閉器［２］２４を介して当該絶縁抵抗測定装置２１を接続するように制御し、当該絶縁抵抗測定装置２１から絶縁抵抗の測定値を読み取るように制御する。
【００３３】
これにより、停電時に電力ケーブルに充電された電荷を接地点に接地した後に、電力ケーブルに絶縁抵抗測定装置を接続し、絶縁抵抗測定装置から絶縁抵抗の測定値を読み取ることができるので、絶縁抵抗の測定時に停電中の電力ケーブルを自動的に接地することにより、電力ケーブルの電荷を逃がすことで感電事故を防止することができ、安全性を確保することができる。
この結果、遠方からの指示による自動測定となるため、調査員の現地派遣が不要となり、人身災害の防止と業務の効率化を図ることができる。
遠隔操作により自動的に絶縁測定を行い、測定後の機器の放電までを自動的に行うことができる。
【符号の説明】
【００３４】
１…電気所、２…母線、３…スイッチギヤ、８…電力ケーブル、９…開閉器、１０…自動絶縁抵抗測定システム、１１…集中監視制御装置、１２…制御中継所、１５…系統監視盤、１６…計算機、１７…監視制御卓、１８…情報収集装置ＤＸ、１９…情報変換装置ＴＣＩＦ、２０…遠方監視制御装置ＴＣ、２１…絶縁抵抗測定装置、２２…遮断器ＣＢ、２３…開閉器［１］、２４…開閉器［２］、２５…電圧検出装置
【図１】
2015055592.tif 000003
【図２】
2015055592.tif 000004
【図３】
2015055592.tif 000005
【図４】
2015055592.tif 000006
【図５】
2015055592.tif 000007
【図６】
2015055592.tif 000008
【図７】
2015055592.tif 000009
【図８】
2015055592.tif 000010
【図９】
2015055592.tif 000011
【図１０】
2015055592.tif 000012
【図１１】
2015055592.tif 000013
【図１２】
2015055592.tif 000014
【図１３】
2015055592.tif 000015